(57)【要約】【課題】複雑な構造を採用することなく、商品見本を容易に展示可能であるとともに、バックパネルを有効活用可能とした自動販売機における商品見本展示装置を提供すること。【解決手段】自動販売機におけるフロント扉の商品見本収納空間１６内に商品見本１８を展示するための自動販売機における商品見本展示装置であって、商品見本を照らすための光源１３と、商品見本を支持するための支持部材８と、を具備した展示装置本体７と、展示装置本体７を商品見本収納空間１６内に係止するための係止部材２と、を具備したことを特徴としており、バックパネルに装着するサンプルステージを用いることなく、商品見本を商品収納空間内に展示可能として、これにより、バックパネルの全面を用いてポスターを貼ることを可能にすることで、バックパネルの有効活用を可能とした。【選択図】図１
2012032907.tif 000002
【特許請求の範囲】
【請求項１】
自動販売機におけるフロント扉の商品見本収納空間（１６）内に商品見本を展示するための自動販売機における商品見本展示装置であって、
商品見本を照らすための光源（１３）と、
商品見本を支持するための支持部材（８）と、を具備した展示装置本体（７）と、
該展示装置本体（７）を前記商品見本収納空間（１６）内に係止するための係止部材（２）と、を具備したことを特徴とする自動販売機における商品見本展示装置。
【請求項２】
前記係止部材（２）は、前記商品見本収納空間（１６）内に配設されるフレーム（３）と、該フレーム（３）に装着された、前記展示装置本体（７）が係止される支持杆（４）と、を具備したことを特徴とする請求項１に記載の自動販売機における商品見本展示装置。
【発明の詳細な説明】
【技術分野】
【０００１】
本発明は自動販売機における商品見本展示装置に係り、より詳しくは、自動販売機において、複雑な構造を採用することなく、商品見本の展示作業を容易にするとともに、商品広告の自由度を高めることを可能にした商品見本展示装置に関する。
【背景技術】
【０００２】
自動販売機においては、販売している商品の内容を利用者に知らせるために、フロント扉の内部に商品見本を展示している。
【０００３】
ここで、図１１及び図１２は自動販売機における商品見本の展示方法を説明するための図であり、図１１は自動販売機の一部切欠斜視図、図１２は図１１における縦断側面図であり、図において３１が自動販売機である。そして、一般的に自動販売機３１は、開閉自在としたフロント扉３２を有しており、このフロント扉３２の内部に商品見本を展示する構造となっている。
【０００４】
即ち、フロント扉３２は、商品見本収納空間３３が内部に形成されたフロント扉本体３４を有しており、このフロント扉本体３４は、商品見本収納空間３３に対向する部分が透明な窓部となっており、この窓部には商品選択ボタン３９が備えられている。また、フロント扉本体３４には、商品見本収納空間３３を後側から閉鎖可能なようにバックパネル３５が、回動自在に装着されている。
【０００５】
そして、バックパネル３５には、側面形状を鉤状としたサンプルステージ３６が多段に亘って装着されており、このサンプルステージ３６の上面には孔が形成され、この孔の上方に、複数の商品見本３７が装着されている。
【０００６】
また、前記サンプルステージ３６における孔の下側、及び、商品見本収納空間３３の上部には蛍光灯による光源３８が装着され、これにより、光源３８を点灯することで、商品見本３７を浮き上がらすようにしている。
【先行技術文献】
【特許文献】
【０００７】
【特許文献１】特開平０５−３２４９９９号公報
【特許文献２】特開２００３−２２８７５６号公報
【発明の概要】
【発明が解決しようとする課題】
【０００８】
このように、従来の自動販売機３１では、バックパネル３５にサンプルステージ３６が多段に亘って装着され、このサンプルステージ３６の上に商品見本３７が装着されるとともに、商品見本収納空間３３の上部及びサンプルステージ３６の下側に光源としての蛍光灯３８を配置していたために、構造が複雑でコストも高くなるとともに、商品見本の装着作業も面倒であった。
【０００９】
また、従来の自動販売機３１では、バックパネル３５に、商品見本３７を装着するためのサンプルステージ３６が多段に亘って装着されていたため、バックパネル３５を有効に活用することができなかった。
【００１０】
即ち、従来から自動販売機では、季節に対応した商品広告のポスターを装着することが行われており、このポスターをバックパネルに装着することも行われていたが、このとき、従来の自動販売機では、バックパネル３５にサンプルステージ３６が装着されていたために、サンプルステージが邪魔になり、ポスターを装着する箇所が限定されてしまい、例えばサンプルステージ間に細長いポスターを横向きにして装着しなければならず、大きいポスターや看板を自由に装着することができず、装着作業にも手間がかかっていた。
【００１１】
更に、バックパネル３５にサンプルステージ３６を多段に亘って装着している場合には、このサンプルステージによって自動販売機の商品見本収納空間３３内に影ができてしまうという問題点も指摘されていた。
【００１２】
そこで、本発明は、複雑な構造を採用することなく、商品見本を容易に展示可能であるとともに、バックパネルを有効活用可能であり、更に、商品見本収納空間内に影ができてしまうことも防止可能とした自動販売機における商品見本展示装置を提供することを課題としている。
【課題を解決するための手段】
【００１３】
本発明の自動販売機における商品見本展示装置は、
自動販売機におけるフロント扉の商品見本収納空間内に商品見本を展示するための自動販売機における商品見本展示装置であって、
商品見本を照らすための光源と、商品見本を支持するための支持部材と、を具備した展示装置本体と、
該展示装置本体を前記商品見本収納空間内に係止するための係止部材と、を具備したことを特徴としている。
【発明の効果】
【００１４】
本発明の自動販売機における商品見本展示装置では、商品見本を照らすための光源と、商品見本を支持するための支持部材とを具備した展示装置本体と、この展示装置本体を自動販売機の商品見本収納空間内に係止するための係止部材とを具備し、商品見本を支持した展示装置本体を、係止部材によって自動販売機の商品見本収納空間内に係止することで、商品見本を商品収納空間内に展示可能としており、従来の商品見本の展示方法と異なり、バックパネルに装着するサンプルステージを用いることなく、商品見本を商品収納空間内に展示可能としている。
【００１５】
そのために、複雑な構造を採用することなく、商品見本を商品見本収納空間内に容易に展示可能であるとともに、サンプルステージの存在により影が出来てしまう事態も防止することができる。
【００１６】
また、従来の方法においてバックパネルに装着していたサンプルステージを無くしたために、バックパネルの全面を自由に使用することが可能になり、例えばバックパネルの全面を用いて大きなポスターを貼ることが可能になり、バックパネルを有効に活用することが可能となった。
【図面の簡単な説明】
【００１７】
【図１】本発明の自動販売機における商品見本展示装置の実施例を説明するための正面図である。
【図２】本発明の自動販売機における商品見本展示装置の実施例における係止部材を説明するための斜視図である。
【図３】図２におけるＡ−Ａ線断面を示す断面図である。
【図４】本発明の自動販売機における商品見本展示装置の実施例における展示装置本体を説明するための斜視図である。
【図５】本発明の自動販売機における商品見本展示装置の実施例における展示装置本体を説明するための側面図である。
【図６】本発明の自動販売機における商品見本展示装置の実施例の全体を示す斜視図である。
【図７】本発明の自動販売機における商品見本展示装置の実施例の作用を説明するための図である。
【図８】本発明の自動販売機における商品見本展示装置の実施例における展示装置本体の他の形態を説明するための図である。
【図９】本発明の自動販売機における商品見本展示装置の実施例における展示装置本体の他の形態を説明するための図である。
【図１０】本発明の自動販売機における商品見本展示装置の実施例における展示装置本体の他の形態を説明するための図である。
【図１１】従来の商品見本展示方法を説明するための図である。
【図１２】従来の商品見本展示方法を説明するための図である。
【発明を実施するための形態】
【００１８】
本発明の自動販売機における商品見本展示装置では、商品見本を支持するための展示装置本体を有しており、この展示装置本体は、商品見本を照らすための光源と、商品見本を支持するための支持部材とを具備している。
【００１９】
そして、本発明の自動販売機における商品見本展示装置では、前記展示装置本体を、任意の数だけ、自動販売機の商品見本収納空間内に係止するための係止部材を具備している。
【００２０】
ここで、前記係止部材は、前記商品見本収納空間内に配設されるフレームと、このフレームに装着された、前記展示装置本体が係止される支持杆とを具備して構成するとよく、これにより、自動販売機の商品見本収納空間内に、前記展示装置本体を容易に係止することが可能となる。
【実施例１】
【００２１】
本発明の自動販売機における商品見本展示装置（以下単に「商品見本展示装置」という。）の実施例について図面を参照して説明すると、図１は、本実施例の商品見本展示装置を説明するための正面図であり、図において１が本実施例の商品見本展示装置である。
【００２２】
そして、本実施例の商品見本展示装置１は、商品見本を支持しつつ照らすための複数個の展示装置本体と、この展示装置本体を、自動販売機の商品見本収納空間内に係止するための係止部材とで構成されており、商品見本を支持した展示装置本体を、係止部材によって、前記商品見本収納空間内に展示することとしている。
【００２３】
即ち、図１において７が展示装置本体であり、また、図において２が係止部材であり、本実施例においては、係止部材２は、上下方向に３段に亘り、それぞれの段において、複数個の展示装置本体７を係止している。
【００２４】
ここで、前記係止部材２について説明すると、図２は、本実施例における係止部材２の斜視図であり、図において、本実施例における前記係止部材２は、一対の平板状のフレーム３を有しており、この一対のフレーム３を、平面部分が互いに対向するような配置で、間隔を置いて配設されている。
【００２５】
そして、この一対のフレーム３を連通するようにして、一対のフレーム３間には、細長い平板状の支持杆４が配設されている。即ち、支持杆４の両端に前記フレーム３が連結される形態で係止部材２が構成されており、本実施例においては、３本の支持杆４を用いており、前述したように、この３本の支持杆４を上下３段に亘って配設し、それぞれの支持杆４において展示装置本体７が係止されている。
【００２６】
また、本実施例において前記支持杆４内にはそれぞれ、導線５が内蔵されており、この導線５の端部はそれぞれ、前記フレーム３を貫通して、フレーム３の外側へ延出されるとともに、使用に際しては電源に接続されることとしている。
【００２７】
ここで、図３は、前記支持杆４を図２におけるＡ−Ａ線断面で見た構造を示す図であり、図において６は、接続端子である。即ち、本実施例において前記支持杆４は、長手方向に沿って所定の間隔を置いて接続端子６を具備している。そして、この接続端子６は、本実施例においては雌型のコネクタとしており、この接続端子６内に雄型のコネクタを挿入することで、この挿入したコネクタが前記導線５に接続される構成としている。
【００２８】
次に、前記展示装置本体７について説明すると、図４は、本実施例における展示装置本体７を説明するための図であり、図５は、本実施例における展示装置本体７を側面から示した図であり、図において７が本実施例における展示装置本体である。
【００２９】
また、図４において１８は、展示装置本体７に支持される商品見本であり、本実施例において商品見本は、飲料缶の見本缶としており、ＰＥＴ等の透光性の樹脂により形成された半円筒状としている。
【００３０】
そして、本実施例における展示装置本体７は、商品見本を支持するための支持部材と、この支持部材で支持している商品見本を照らすための光源とを具備している。即ち、図において８が支持部材であり、本実施例において前記支持部材８は、図においては側面形状を略逆Ｌ字状にした本体部９を有している。そして、本体部９は、平板状の底面部９０１と、この底面部９０１の後端部分に、底面部９０１と直交する上方へ向けて連設された平板状の背面部９０２とを具備して構成されている。
【００３１】
なお、この本体部９は、商品見本を支持可能な幅を有しており、具体的に本実施例においては、支持する商品見本の幅と同等寸法の幅としており、また、ＰＥＴ等の柔軟な樹脂素材により形成され、透光性を有している。但し、本体部９の幅寸法、形状、素材は特に限定されず、商品見本を支持可能であればいずれでもよい。
【００３２】
次に、本実施例において前記支持部材８は、連結部と、この連結部が接続された導線を有しており、連結部を、前記接続端子６に接続することとしている。
【００３３】
即ち、図において１０が連結部であり、この連結部１０は、前記底面部９０１の先端部分に、底面部９０１から突出する形態で備えられている。
【００３４】
一方、前記底面部９０１内には、導線１１が挿装されており、前記連結部１０の基端部分は、前記導線１１に接続されている。
【００３５】
次に、図において１２は、商品見本１８を支持部材８に装着するための装着部材であり、本実施例において前記装着部材１２は、商品見本１８を商品見本の左右側から挟持する一対の挟持片としている。
【００３６】
そして、本実施例において前記装着部材１２は、前記背面部９０２の側面部分に、正面側へ向けて、更に商品見本１８を挟持可能なように湾曲させた形状で連設されている。但し、装着部材１２の形態は必ずしもこの構成には限定されず、商品見本１８を装着可能な形状であればいずれでもよく、また、必ずしも装着部材は必要なものではなく、支持部材８に商品見本１８を支持可能であれば良く、支持の方法、及び手段は限定されない。
【００３７】
次に、図において１３は光源としてのＬＥＤである。即ち、本実施例において前記展示装置本体７は、光源としてのＬＥＤ１３を有しており、この光源１３によって、支持部材８で支持している商品見本１８を照らすこととしている。
【００３８】
そして、本実施例において前記光源１３は、前記支持部材８の本体部９を構成する背面部９０２の上方部分に配設されており、即ち前記支持部材８が、商品見本１８を前記光源１３の前面側で支持しており、これにより、光源１３は、商品見本１８を商品見本１８の背後から照らすこととしている。そのため、光源１３によって、商品見本１８を十分に浮かび上がらせることが可能である。
【００３９】
なお、光源１３としては、消費電力が少ないＬＥＤを採用するのが好ましいが、必ずしもＬＥＤには限定されず、商品見本１８を照ことが可能な手段であればいずれでもよい。また、図４においては、光源１３は前記背面部９０２の上方部分に１個配設されているが、この配設箇所及び個数も特に限定されない。
【００４０】
次に、図において１４は、前記光源７に電源を供給するためのリード線であり、本実施例において前記リード線１４は、図５にも示されるように、前記背面部９０２を縫うようにして支持部材８の背面部９０１に係止されており、その先端部は、前記底面部９０１内に挿装した導線１１に接続され、リード線１４を介して光源１３を支持部材８に支持している。
【００４１】
そして、このように構成される展示装置本体７は、商品見本を支持した状態で前記係止部材２に係止され、更に、展示装置本体７が係止された係止部材２は、自動販売機の商品見本収納空間内に配設され、これにより、前記商品見本１８を、自動販売機におけるフロント扉の商品見本収納空間内に展示可能としている。
【００４２】
即ち、本実施例の商品見本展示装置１によって、自動販売機におけるフロント扉の商品見本収納空間内に商品見本１８を展示するときには、まず、前記商品見本収納空間内に展示する数の商品見本１８及び展示装置本体７を用意して、展示装置本体７の前記挟持片１２で挟持する形態で、それぞれの展示装置本体７の前記支持部材８に商品見本１８を支持する。
【００４３】
次に、このようにして支持部材８に商品見本１８を支持している展示装置本体７の連結部１０を支持杆４の接続端子６内に挿入することで、展示装置本体７を支持杆４に支持するとともに、接続端子６及び連結部１０を介して、支持杆４内の導線５を前記光源１３に接続して、これにより、光源１３に電源を供給可能な状態にする。
【００４４】
この状態を示した図が図６であり、この状態とした本実施例の商品見本展示装置１を次に、自動販売機の商品見本収納空間内に配設するとともに、前記導線５を、例えば自動販売機内の電源コンセントに接続する。
【００４５】
そうすると、展示装置本体７に支持されつつ係止部材２に係止された商品見本１８が自動販売機の商品見本収納空間内に展示されるとともに、支持杆４内の導線、接続端子６、支持部材８の連結部１０、導線１１，及びリード線１４を介して電源が光源１３に供給され、これによって、光源１３が点灯し、光源１３によって商品見本を照らして、商品見本を目立たせることが可能となる。
【００４６】
この状態を示した側断面図が図７であり、図において１５は、商品選択ボタン１９を備えた自動販売機のフロント扉であり、１７がフロント扉のバックパネル、１６が商品見本を展示するための商品見本収納空間である。
【００４７】
そして、１８が商品見本であり、この商品見本１８は、展示装置本体７に支持された状態で、展示装置本体７を介して係止部材２に係止され、これにより、前記商品見本収納空間１６内に展示されている。
【００４８】
なお、図において２０は、商品の値段等が表示されたデータ表示部であり、このデータ表示部２０は、適宜、前記支持杆４に、前記商品選択ボタン１９に対応した箇所で具備される。
【００４９】
このように、本実施例の本実施例の自動販売機における商品見本展示装置では、商品見本を支持した状態でこの支持している商品見本を光源によって照らすことが可能な展示装置本体７と、複数個の展示装置本体７が係止される係止部材２とを具備しており、商品見本が支持されている展示装置本体７を係止部材２に係止するとともに、展示装置本体７を係止した係止部材２を自動販売機の商品見本収納空間内に配設することのみで、自動販売機の商品見本収納空間１６内に商品見本１８を展示することができる。
【００５０】
そのために、本発明の自動販売機における商品見本展示装置では、従来の商品見本の展示方法と異なり、バックパネルに装着するサンプルステージを用いることなく、商品見本を商品収納空間内に展示可能であり、それにより、複雑な構造を採用することなく、商品見本を商品見本収納空間内に容易に展示可能であるとともに、サンプルステージの存在により影が出来てしまう事態も防止することができる。
【００５１】
また、従来の方法においてバックパネルに装着していたサンプルステージを無くしたために、バックパネルの全面を自由に使用することが可能になり、例えばバックパネルの全面を用いて大きなポスターを貼ることが可能になり、バックパネルを有効に活用することが可能となった。
【００５２】
即ち、サンプルステージを用いていた従来の方法では、サンプルステージをバックパネルに装着していたために、バックパネルに商品宣伝のためのポスターを装着する場合には、サンプルステージを装着していない箇所にしか装着できず、そのために装着作業が面倒であった。しかし、本実施例では、サンプルステージを用いていないために、図７に示されるように、バックパネル１７と商品見本１８との間に空間が形成される。そのため、バックパネル１７の正面側は、全面を自由に使用できることとなるので、例えばオフセット印刷で印刷した大きなポスターをバックパネル１７に貼ることもでき、ポスターのコスト、装着の手間を抑えることができ、更にその他、従来はフロント扉の外側に貼着していた広告をバックパネル１７に容易に貼り付けることも可能となる。
【００５３】
また、前記支持部材８をＰＥＴ等の樹脂製の柔軟で透光性を有する素材で構成するとともに、商品見本１８を前記光源７の前面側で支持しているため、光源１３が効果的に商品見本１８を照らすことができるとともに、支持部材８の後方側を明るくすることも可能である。
【００５４】
なお、前述の説明では、接続端子６を雌型の端子として、連結部１０を雄型としているが、必ずしもこの形態には限定されず、支持杆４に備えた導線と光源１３とを接続可能であればいずれの方法でも良い。
【００５５】
次に、図８乃至図１０は、本発明における展示装置本体７の他の形態を説明するための図である。即ち、前述の形態では、支持部材に連結部を備え、この連結部を介して、光源１３に電源を供給することとしているが、本発明において、前記光源１３に電源を供給する方法は必ずしもこの方法には限定されず、その他の方法でもよい。
【００５６】
例えば、図８では、光源１３に接続されたリード線１４の先端を直接、前記接続端子６に接続する構成としており、この場合には、支持部材８における底面部９０１の先端部分を支持杆４に接着材等で接着するとよい。
【００５７】
また、図９では、光源１３をリード線１４のみで支持する構成としている。即ち、ＬＥＤ等の光源に接続されるリード線の中には針金状の硬質のものが存在しているが、図９に示す形態では、この針金状の硬質のリード線１４を光源１３に接続するとともに、この硬質のリード線１４の先端を前記接続端子６に接続しており、これにより、光源１３を、リード線１４のみで支持することとし、商品見本を支持するための支持部材８は、その先端部分を支持杆４に接着等によって装着することとしている。
【００５８】
更に、図１０では、図９に示した構成と同様に、針金状の硬質のリード線１４を用いてリード線１４のみで光源１３を支持することとするとともに、この光源１３に支持部材８を支持することとしている。
【００５９】
即ち、図１０において支持部材８は、針金状の素材により構成しており、商品見本の天井部の裏面に当接するリング状の支持部８０１と、光源１３に周設する形態で光源１３に被せられるコイル状の係止部８０３と、支持部８１と係止部８０３を連通する略直線状の連通部８０２とで構成されている。
【００６０】
そして、係止部８０３を光源１３に被せることで、支持部材８を光源１３に支持することとしており、光源１３に支持部材８を支持した状態で、支持部材８の支持部８０１上に商品見本１８を乗せることで、支持部材８に商品見本１８を支持することとしている。
【００６１】
このように、図１０に示す構成では、針金状の硬質のリード線１４を用いて、リード線１４のみで光源１３を支持するとともにこの光源１３に支持部材８を支持することとしているため、支持部材８を小さくすることができコストを抑えることが可能であるとともに、支持部材８の装着、及びこの支持部材８による商品見本１８の支持を容易に行うことが可能である。
【００６２】
なお、図１０においては、支持部８０１をリング状とし、係止部８０３をコイル状とした場合を説明したが、支持部８０１は。商品見本を支持可能な形状であれば何れの形状でもよく、また係止部８０３も光源１３に被せることができる形状であればいずれの形状でもよい。
【００６３】
また、本発明において前記光源１３は、前述したように、必ずしもＬＥＤには限定されず、商品見本を照らすことが可能な手段であれば、いずれの手段でもよい。
【産業上の利用可能性】
【００６４】
本発明の自動販売機における商品見本展示装置では、商品見本の装着作業を容易にするとともに、商品見本を展示するための複雑な構造を不要にし、更にバックパネルの有効活用を可能にしているために、商品見本を備える自動販売機の全般に適用可能である。
【符号の説明】
【００６５】
１    商品見本展示装置
２    係止部材
３    フレーム
４    支持杆
５    導線
６    接続端子
７    展示装置本体
８    支持部材
９    本体部
９０１    底面部
９０２    背面部
１０    連結部
１１    導線
１２    装着部材（挟持片）
１３    光源（ＬＥＤ）
１４    リード線
１５    自動販売機のフロント扉
１６    商品見本収納空間
１７    バックパネル
１８    商品見本
１９    商品選択ボタン
２０    データ表示部
【図１】
2012032907.tif 000003
【図２】
2012032907.tif 000004
【図３】
2012032907.tif 000005
【図４】
2012032907.tif 000006
【図５】
2012032907.tif 000007
【図６】
2012032907.tif 000008
【図７】
2012032907.tif 000009
【図８】
2012032907.tif 000010
【図９】
2012032907.tif 000011
【図１０】
2012032907.tif 000012
【図１１】
2012032907.tif 000013
【図１２】
2012032907.tif 000014